(57)【要約】【課題】緑内障患者にとって、得たい情報が的確に得られ、継続的な受診／通院に繋がるパッケージを提供する。【解決手段】冊子１には、ポケット１１ａが設けられており、当該ポケット１１ａには、受診予約日又は受診日を記入する予約日記入欄、患者の眼圧値を測定した測定日を記入する測定日記入欄、および測定日における眼圧値を記録する眼圧記録欄を含む一覧表が表示されている眼圧記録カード２が収容されている。【選択図】図１
0003210256.tif 000002
【実用新案登録請求の範囲】
【請求項１】
ポケットが設けられている冊子であって、当該ポケットに、受診予約日を記入する予約日記入欄、患者の眼圧値を測定した測定日を記入する測定日記入欄、および前記測定日における前記眼圧値を記録する眼圧記録欄を含む一覧表が表示されている眼圧記録カードが収容されている冊子。
【請求項２】
前記ポケットは、表紙又は裏表紙の内側に設けられている請求項１に記載の冊子。
【請求項３】
前記眼圧記録カードには、緑内障に関する情報が記載されたＷＥＢページにアクセス可能なＱＲコードが表示されている請求項１又は２に記載の冊子。
【請求項４】
前記眼圧記録カードは２つ折りにした用紙で構成されており、前記用紙の表面に前記患者の氏名を記入する氏名記入欄が表示され、前記用紙の見開きページに前記一覧表が表示され、前記用紙の裏面に前記ＱＲコードが表示されている請求項３に記載の冊子。
【請求項５】
前記患者の診断結果、診断時の前記眼圧値および目標眼圧値の記入欄が設けられている請求項１から４のいずれか一項に記載の冊子。
【請求項６】
前記患者に対して推奨される受診スケジュールおよび各受診日に実施される検査情報が記載されている請求項１から５のいずれか一項に記載の冊子。
【考案の詳細な説明】
【技術分野】
【０００１】
本考案は、緑内障患者の継続的な受診／通院の促進に有用な冊子に関する。
【背景技術】
【０００２】
緑内障は、網膜神経節細胞死により特徴的な視神経乳頭陥凹と視野障害をきたす疾患である。眼圧の上昇が緑内障における乳頭陥凹と視野障害の主要な原因であるとされる。眼圧が統計的に算出された正常範囲にとどまる緑内障も存在するが、この場合もその患者にとっては視野障害を生じる眼圧であるため緑内障を発症すると考えられている。つまり、緑内障の治療の基本は眼圧を低く保つことであり、継続的に点眼薬を用いて眼圧を下げることで視野障害の進行を遅らせることができる。
【０００３】
一方、緑内障の症状は視野が少しずつ狭くなっていくものであり、一般にその進行は遅く、また、実際にものを見る際には両目で見ることで視野欠損部が補われるため、初期段階では患者が自覚症状を得ることが難しい疾患である。したがって、緑内障と診断された診断初期には、患者に継続的な受診／通院の促進を促すことが難しい。従来では、患者に緑内障に関する知識を深めてもらって継続的な治療を促すパンフレットやＷＥＢページが広く普及している。
【０００４】
また、眼科用ではなく歯科用に関する考案であるが、患者が治療に関する知識を継続的に深めることができるように、受診予約日記入欄が設けられた一般的な診察券に、治療に関する知識が記載されたカウンセリングカードを挿入するためのポケットを設けたものが知られている（特許文献１参照）。このように、携帯可能な診察券にカウンセリングカードを収容することで、患者と医師とのコミュニケーションを促進させ得ると記載されている。
【先行技術文献】
【特許文献】
【０００５】
【特許文献１】実開昭６１−１９８０７４号公報
【考案の概要】
【考案が解決しようとする課題】
【０００６】
しかしながら、緑内障に関する情報を記載したパンフレット等は携帯性に劣るので、緑内障について自覚症状のない患者に対して、継続的に受診／通院する意識を高めてもらうことが難しい。また、特許文献１の考案は、携帯性に優れるものの、カウンセリングカードを診察券に収容した状態で配布するので、カウンセリングカードが増えるほど嵩張ってしまい、利便性に劣る。
【０００７】
そこで、緑内障患者にとって、得たい情報が的確に得られ、継続的な受診／通院に繋がるパッケージが望まれている。
【課題を解決するための手段】
【０００８】
本考案に係る冊子の特徴構成はポケットが設けられ、当該ポケットに、受診予約日を記入する予約日記入欄、患者の眼圧値を測定した測定日を記入する測定日記入欄、および前記測定日における前記眼圧値を記録する眼圧記録欄を含む一覧表が表示されている眼圧記録カードが収容されている点にある。
【０００９】
上述したように、緑内障の治療の基本は眼圧を低く保つことであり、患者自身が現在の眼圧値を知ることは継続的な受診／通院のために重要である。そこで、本構成では、緑内障に関する多くの情報を掲載可能な冊子に、眼圧記録カードを収容するポケットを設けている。これによって、緑内障と診断された患者に該冊子を配布すれば、患者が眼圧記録カードのみを抜き取って携帯することで、常に眼圧値を知ることが可能となるので、継続的な受診／通院に繋がる。
【００１０】
しかも、この眼圧記録カードには、受診予約日記入欄、測定日記入欄および眼圧記録欄を設けた一覧表が表示されており、患者自身が眼圧値の経過を容易に知り得る。このため、自覚症状のない診断初期においても、患者に対して継続的な受診／通院を促すことができる。
【００１１】
このように、緑内障患者にとって、得たい情報が的確に得られ、継続的な受診／通院に繋がるパッケージを提供できた。
【００１２】
また、前記ポケットは、表紙又は裏表紙の内側に設けられていても良い 。
【００１３】
本構成のように、ポケットを冊子の表紙又は裏表紙の内側に設けることで、患者自身が眼圧記録カードを容易に抜き差しすることが可能となるので、利便性を高めることができる。
【００１４】
また、前記眼圧記録カードには、緑内障に関する情報が記載されたＷＥＢページにアクセス可能なＱＲコードが表示されていても良い。
【００１５】
本構成のように、眼圧記録カードにＱＲコードを設ければ、外出先でもスマートフォン等から緑内障に関する情報を容易に取得することができる。
【００１６】
また、前記眼圧記録カードは２つ折りにした用紙で構成されており、前記用紙の表面に前記患者の氏名を記入する氏名記入欄が表示され、前記用紙の見開きページに前記一覧表が表示され、前記用紙の裏面に前記ＱＲコードが表示されていても良い。
【００１７】
本構成のように、用紙幅が比較的大きな見開きページに一覧表を表示すれば、眼圧値の経過が見易い。また、背面にＱＲコードを表示すれば、用紙を開かなくてもスマートフォン等から容易に読み込むことができる。よって、眼圧記録カードを携帯している患者の利便性を高めることができる。
【００１８】
また、冊子には、前記患者の診断結果、診断時の前記眼圧値および目標眼圧値の記入欄が設けられていても良い。
【００１９】
本構成のように、冊子の中に患者の診断結果、眼圧値および目標眼圧値の記入欄を設ければ、医師が別途記入用紙を用意する必要がないので、利便性が高い。
【００２０】
また、冊子には、前記患者に対して推奨される受診スケジュールおよび各受診日に実施される検査情報が記載されていても良い。
【００２１】
本構成のように、冊子の中に患者に対して推奨される受診スケジュールおよび検査情報を記載しておけば、自覚症状のない診断初期においても、緑内障患者に対して継続的な受診／通院を促すことができる。
【図面の簡単な説明】
【００２２】
【図１】本実施形態に係る冊子の概略斜視図である。
【図２】本実施形態に係る眼圧記録カードの表面および裏面である。
【図３】本実施形態に係る眼圧記録カードの見開きページである。
【図４】冊子に記載される診断結果等のイメージ図である。
【図５】冊子に記載される受診スケジュール等のイメージ図である。
【考案を実施するための形態】
【００２３】
以下に、本考案に係る冊子の実施形態について、図面に基づいて説明する。本実施形態では、緑内障の患者に配布される冊子１として説明する。ただし、以下の実施形態に限定されることなく、その要旨を逸脱しない範囲内で種々の変形が可能である。
【００２４】
図１に示すように、冊子１は、表紙１０ａと、裏表紙１０ｂと、表紙１０ａと裏表紙１０ｂとの間に配置された複数のホルダ１０ｃとを備えている。この冊子１には、緑内障の患者の眼圧値を記録する眼圧記録カード２が抜き差し可能に収容されている。
【００２５】
冊子１の表紙１０ａの外側（表紙表）には、図示しないが緑内障の治療に関するキャッチフレーズ等が表示されている。表紙１０ａの内側（表紙裏）には、眼圧記録カード２を収容するポケット１１ａが設けられている。本実施形態のポケット１１ａは、扇状の透明なプラスチックシート１１を表紙１０ａの内側の底辺および側辺に固定した状態で、プラスチックシート１１の下部に切込み１１ｂを設けて形成されている。この切込み１１ｂから眼圧記録カード２が抜き差し可能に構成されており、収容された状態の眼圧記録カード２の半分程度がポケット１１ａから露出している。これによって、眼圧記録カード２の抜き差しが容易である。また、プラスチックシート１１の円弧状部１１ｃが開口されており、この円弧状部１１ｃからも用紙等が挿入可能に構成されている。
【００２６】
ここで、眼圧記録カード２について説明する。図２には、中央に折目２０を有する眼圧記録カード２の表面２１および裏面２２が示されている。図３には、中央に折目２０を有する眼圧記録カード２の見開きページ２３が示されている。この眼圧記録カード２は２つ折りにした厚手の用紙で構成されており、図２の折目２０が山折り、図３の折目２０が谷折りにされたものである。
【００２７】
図２に示すように、眼圧記録カード２の表面２１には、カード名称と、患者の氏名を記入する氏名記入欄２１ａと、ロゴマーク欄２１ｂとが表示されている。また、眼圧記録カード２の裏面２２には、緑内障に関する情報が記載されたＷＥＢページにアクセス可能なＱＲコード２２ａが表示されている。
【００２８】
眼圧記録カード２の見開きページ２３には、受診予約日を記入する予約日記入欄２４ａと、患者の眼圧値を測定した測定日を記入する測定日記入欄２４ｂと、測定日における両眼の眼圧値を記録する眼圧記録欄２４ｃと、眼圧値の良し悪しを記入する判定欄２４ｄとを、この順に縦軸とした一覧表２４が表示されている。また、見開きページ２３には、各欄２４ａ，２４ｂ，２４ｃの説明等が記載されている。
【００２９】
図１に戻り、冊子１の裏表紙１０ｂの外側（裏表紙表）には、図示しないがロゴマーク等が表示されている。裏表紙１０ｂの内側（裏表紙裏）には、使用済みの眼圧記録カード２を収容可能な複数のプラスチックホルダ１４が設けられている。本実施形態では、矩形状の透明なプラスチックホルダの上辺１４ａのみが開口して形成されており、この上辺１４ａの中央に窪み部１４ｂが設けられている。これによって、眼圧記録カード２の抜き差しが容易である。
【００３０】
複数のホルダ１０ｃは、冊子１の折目１ａの内側であって表紙１０ａと裏表紙１０ｂの間に挟まれるように固定されている。複数のホルダ１０ｃは、プラスチックシートの両面に底辺および側辺が固定された扇状ホルダ１２と、上辺が開口した薄手のクリアファイル１３とを備えている。この扇状ホルダ１２には、患者の病状の説明や緑内障治療サイクルの説明などの媒体３（用紙等）が収容され、クリアファイル１３には、緑内障の一般情報を提供する媒体４（パンフレット等）が収容されている。
【００３１】
図４には、プラスチックシートの両面に固定された扇状ホルダ１２の一方に挿入される用紙３Ａの一例が示されている。図５には、プラスチックシートの両面に固定された扇状ホルダ１２の他方に挿入される用紙３Ｂの一例が示されている。
【００３２】
図４の用紙３Ａには、患者氏名、受診日、患者の診断結果、疾患説明、診断時の眼圧値および目標眼圧値、医師名等の記入欄が設けられている。診断結果は、医師が緑内障と診断した結果および病期を記入する欄である。疾患説明には、緑内障についての簡単な説明や注意事項が記載されている。眼圧値および目標眼圧値の記入欄は、診断時における患者の眼圧値と、当該患者にとって正常値と考えられる目標眼圧値とを医師が記入する欄である。その他に、眼圧が正常範囲（１０〜２１ｍｍＨｇ）でも緑内障である正常眼圧緑内障についての説明などが記載されている。
【００３３】
図５の用紙３Ｂには、患者に対して推奨される受診スケジュールおよび各受診日に実施される検査情報が記載されている。受診スケジュールは、診断初期の患者を対象とした受診予定であり、検査情報は、各受診予定日に検査される項目（基本検査、視野検査、ＯＣＴ検査）とその説明である。
【００３４】
上述したように、本実施形態では、緑内障に関する多くの情報を掲載可能な冊子１に、眼圧記録カード２を収容するポケット１１ａを設けている。これによって、緑内障と診断された患者に冊子１を配布すれば、患者が眼圧記録カード２のみを抜き取って携帯することで、常に眼圧値を知ることが可能となるので、患者の継続的な受診／通院に繋がる。
【００３５】
しかも、眼圧記録カード２は、受診を受けるための予約日又は受診日が記載された一般的な診察券に、測定日記入欄２４ｂや眼圧記録欄２４ｃを設けた一覧表２４が表示されたものであり、患者自身が眼圧値の経過を容易に知り得る。このため、自覚症状のない診断初期においても、患者に対して継続的な受診／通院を促すことができる。
【００３６】
また、眼圧記録カード２のうち、用紙幅が比較的大きな見開きページ２３に一覧表２４を表示すれば、眼圧値の経過が見易い。しかも、眼圧記録カード２の背面にＱＲコード２２ａを表示すれば、眼圧記録カード２を開かなくてもスマートフォン等から容易に読み込むことができる。よって、眼圧記録カード２を携帯している患者の利便性を高めることができる。
【００３７】
また、冊子１の中に患者の診断結果、眼圧値および目標眼圧値の記入欄を設ければ、医師が別途記入用紙を用意する必要がないので、利便性が高い。しかも、冊子１の中に患者に対して推奨される受診スケジュールおよび検査情報を記載しておけば、自覚症状のない診断初期においても、患者に対して継続的な受診／通院を促すことができる。
【００３８】
［その他の実施形態］
（１）冊子１の表紙１０ａの内側に設けられるポケット１１ａは、冊子１の裏表紙１０ｂの内側に設けられるプラスチックホルダ１４の形態にしても良く、ポケット１１ａの形態は特に限定されない。また、冊子１の裏表紙１０ｂの内側に、表紙１０ａの内側に設けられるポケット１１ａを設けても良い。
（２）表紙１０ａと裏表紙１０ｂとの間に配置された複数のホルダ１０ｃは、扇状ホルダ１２やクリアファイル１３に限定されず、例えば複数の用紙を冊子１の折目１ａの内側に固定して直接印字しても良い。また、扇状ホルダ１２やクリアファイル１３に収容される媒体の種類も特に限定されない。例えば、用紙３Ａや用紙３Ｂを省略して、パンフレットのみをホルダ１０ｃに収容しても良いし、眼圧記録カード２をホルダ１０ｃに収容しても良い。
（３）眼圧記録カード２は、２つ折りに限定されず、３つ折り以上の複数の折目を設けても良い。また、予約日記入欄２４ａ，測定日記入欄２４ｂおよび眼圧記録欄２４ｃを有する一覧表２４が表示されていれば、その他の表示を省略しても良い。例えば、欄２４ａ，２４ｂ，２４ｃの説明を省略して、見開きページ２３の全体に一覧表２４を表示しても良い。
（４）本実施形態における冊子１は、医師が冊子１を配布する際に眼圧記録カード２がポケット１１ａに収容されているものであり、配布後は患者が眼圧記録カード２を抜き取る利用形態を想定している。これに代えて、冊子１に複数の眼圧記録カード２を収容して、複数の眼圧記録カード２の内の一つが抜き取られる利用形態であっても良く、特に限定されない。
【産業上の利用可能性】
【００３９】
本考案は、緑内障と診断された患者に配布する冊子に利用可能である。
【符号の説明】
【００４０】
１      冊子
２      眼圧記録カード
１１ａ  ポケット
２３    見開きページ
２４    一覧表
２４ａ  予約日記入欄
２４ｂ  測定日記入欄
２４ｃ  眼圧記録欄
【図１】
0003210256.tif 000003
【図２】
0003210256.tif 000004
【図３】
0003210256.tif 000005
【図４】
0003210256.tif 000006
【図５】
0003210256.tif 000007